(57)【要約】  トッププレートの下に設置され、内側に複数の加熱コイル６４、６５、６６が配置されたコイルベース６１と、その複数の加熱コイル６６のうち互いに接続される加熱コイル６６ａ、６６ｃの双方のリード線９１、９２、また、互いに接続されるもう一組の加熱コイル６６ｂ、６６ｄの双方のリード線１０１、１０２を接続するクランク形状の端子台１７とを備え、その端子台１７をコイルベース６１の内側に設けた。
2012117679.tif 000002
【特許請求の範囲】
【請求項１】
外郭を構成する本体と、
前記本体の上面に設けられ、調理容器が載置されるトッププレートと、
前記トッププレートの下に設置され、内側に複数の加熱コイルが配置されたコイルベースと、
前記複数の加熱コイルのうち互いに接続される加熱コイルの双方のリード線を接続する接続手段とを備え、
前記接続手段を前記コイルベースの内側に設けたことを特徴とする加熱調理器。
【請求項２】
前記接続手段は、前記トッププレートと対向する前記コイルベースの下面に設けられていることを特徴とする請求項１記載の加熱調理器。
【請求項３】
前記接続手段は、前記コイルベース内に放射状に設けられた磁性体の間に設けられていることを特徴とする請求項１又は２記載の加熱調理器。
【請求項４】
前記加熱コイルには、前記コイルベースの周方向に配置された複数の加熱コイルがあり、
前記接続手段は、複数の加熱コイルのうち互いに対向する加熱コイルの双方のリード線を接続していることを特徴とする請求項１乃至３の何れかに記載の加熱調理器。
【請求項５】
前記接続手段に接続されるリード線は、前記コイルベースの内側に配線されていることを特徴とする請求項１乃至４の何れかに記載の加熱調理器。
【請求項６】
前記加熱コイルの外部リード線の本数は、前記加熱コイルの個数と同一あるいはそれより少ないことを特徴とする請求項１乃至５の何れかに記載の加熱調理器。
【請求項７】
前記加熱コイルの各リード線は、長さが同じであることを特徴とする請求項１乃至６の何れかに記載の加熱調理器。
【発明の詳細な説明】
【技術分野】
【０００１】
本発明は、調理容器である鍋を加熱コイルで誘導加熱する加熱調理器に関するものである。
【背景技術】
【０００２】
従来の加熱調理器として、トッププレートの下に配置された加熱コイルを、加熱コイルの内周から外周にわたるＵ字形状のコイルベース（フェライト）の凹部に設置しているものがある（例えば、特許文献１参照）。
【先行技術文献】
【特許文献】
【０００３】
【特許文献１】特開２００３−１００４２９号公報（図１）
【発明の概要】
【発明が解決しようとする課題】
【０００４】
ところで、複数の加熱コイルが載置されたコイルベースでは、加熱コイルの外部リード線が加熱コイルの個数分コイルベースから出ていた。複数の加熱コイルの数が増えた場合には、外部リード線も増えるため、コイルベースから出る外部リード線も多くなってしまい、コイルユニットの組み立ての作業性に課題があった。また、加熱コイルの外部リード線の本数が多くなった場合には、冷却風を遮ることがあり、冷却効果を低下させる虞があった。【０００５】
本発明は、前述のような課題を解決するためになされたものであり、複数の加熱コイルであっても外部リード線の本数を増やすことなく、また、冷却効果を低下させることなく、組み立て作業性の良い加熱調理器を提供することを目的とする。
【課題を解決するための手段】
【０００６】
本発明に係る加熱調理器は、外郭を構成する本体と、本体の上面に設けられ、調理容器が載置されるトッププレートと、トッププレートの下に設置され、内側に複数の加熱コイルが配置されたコイルベースと、複数の加熱コイルのうち互いに接続される加熱コイルの双方のリード線を接続する接続手段とを備え、接続手段をコイルベースの内側に設けるようにした。
【発明の効果】
【０００７】
本発明によれば、コイルベースの内側に設けた接続手段により、複数の加熱コイルのうち互いに接続される加熱コイルの双方のリード線を接続するようにしているので、リード線をコイルベースからはみ出すことなく容易に接続することが可能になり、作業性が向上する。また、前述したように加熱コイルの双方のリード線を接続手段を介して接続できるようにしているので、コイルベースから出る外部リード線を少なくできる。さらに、コイルベースの内側でリード線を配線でき、加熱コイルの数が増えたとしても外部リード線の本数を抑えることができるので、冷却風を遮るようなことがなくなった。
【図面の簡単な説明】
【０００８】
【図１】実施の形態に係る加熱調理器の斜視図である。
【図２】実施の形態に係る加熱調理器のトッププレートを取り外して示す斜視図である。
【図３】図２の加熱調理器において左側のコイルユニットを拡大して示す上面図である。
【図４】図３のコイルユニットを１８０度反転して示す下面図である。
【図５】図４の下面図において３個の端子台のうち下側に位置する端子台を拡大して示す平面図である。
【図６】図４の端子台部分を拡大して示す側面視の断面図である。
【発明を実施するための形態】
【０００９】
図１は実施の形態に係る加熱調理器の斜視図、図２は実施の形態に係る加熱調理器のトッププレートを取り外して示す斜視図、図３は図２の加熱調理器において左側のコイルユニットを拡大して示す上面図、図４は図３のコイルユニットを１８０度反転して示す下面図、図５は図４の下面図において３個の端子台のうち下側に位置する端子台を拡大して示す平面図、図６は図４のコイルユニットの端子台部分を拡大して示す側面視の断面図である。
【００１０】
これらの図において、本実施の形態の加熱調理器は、外郭を構成する加熱調理器本体１と、加熱調理器本体１の上部開口面を覆うように取り付けられ、外周に外枠を有するトッププレート２と、トッププレート２の後部の外枠に着脱自在に設けられた吸排気口のカバー３と、加熱調理器本体１の前面に配置された操作部４と、加熱調理器本体１の前面に操作部４と隣接して設けられたグリル扉５を備えている。トッププレート２は、例えば耐熱強化ガラスより構成されている。そのトッププレート２の下には、例えば２つのコイルユニット６、７と、１つのヒーターユニット８が配置されている。
【００１１】
コイルユニット６には、後述するが、複数の加熱コイルが設けられ、コイルユニット７には、小径および大径のリング状の加熱コイルが設けられている。また、ヒーターユニット８には、ラジエントヒーターが設けられている。前述の加熱コイルに高周波電流が流れると、加熱コイルから高周波電流に応じた磁束が発生し、その磁束によりトッププレート２に載置された調理容器である鍋などが誘導加熱される。なお、ヒーターユニット８に代えて、コイルユニット７の外径より小さいコイルユニットを用いてもよい。
【００１２】
前述のコイルユニット６は、図３、図４に示すように、コイルベース６１と、複数のフェライト６３と、複数の加熱コイル６４、６５、６６を備えている。コイルベース６１は、中央に位置する中央支持体６２と、この中央支持体６２を中心に放射状に伸びる複数の梁部６２ａと、この梁部６２ａの端部と連結されたリング形状の側板６２ｂを有し、円盤状に形成されている。そして、梁部６２ａは、断面形状が下方向に開口するコの字状に形成され、その開口にフェライト６３が嵌め込まれて固着されている。また、コイルベース６１の上側面、つまり、梁部６２ａのフェライト６３側の反対側の面には、後述する加熱コイル６４、６５、６６が設けられている。
【００１３】
フェライト６３は、加熱コイル６４、６５、６６から発生する磁束のうち下方や側方に漏洩する磁束の磁路としての役割をなしている。これによって、コイルユニット６から漏れる磁束を防止でき、操作部４に設けられた回路基板上の電子部品や、加熱コイル６４、６５、６６に高周波電流を供給するための回路基板上の電子部品などへの悪影響を与えないように防いでいる。
【００１４】
コイルユニット６の加熱コイル６４は、リング状に形成され、中央支持体６２を中心として中央支持体６２の外周を囲むように配置されている。加熱コイル６５は、加熱コイル６４の外径より大きいリング状に形成され、その加熱コイル６４の外周を囲むように配置されている。加熱コイル６６は、例えば４個の加熱コイル６６ａ、６６ｂ、６６ｃ、６６ｄによって構成されている。その各加熱コイル６６ａ、６６ｂ、６６ｃ、６６ｄは、コイルベース６１の周方向に延びた変形リング状に形成され、加熱コイル６５の周囲に周方向に等間隔に配置されている。
【００１５】
コイルユニット６の中央部分に配置された加熱コイル６４、６５は、例えば直列に接続されている。加熱コイル６４の一端には外部リード線１３が接続され、加熱コイル６５の一端には外部リード線１２が接続されている。加熱コイル６５の周囲に配置されている４個の加熱コイル６６ａ、６６ｂ、６６ｃ、６６ｄのうち、加熱コイル６６ａと加熱コイル６４ｃが互いに対向するように配置され、加熱コイル６６ｂと加熱コイル６４ｄが互いに対向するように配置されている。
【００１６】
また、コイルユニット６の下面には、周方向に例えば３個の端子台１７が配置されている。端子台１７は、図５に示すように、第１の溝部１７ａと、この第１の溝部１７ａの一方の端部から略直角に折り曲げられて形成された第２の溝部１７ｂと、第１の溝部１７ａの他方の端部から第２の溝部１７ｂと反対方向に略直角に折り曲げられた第３の溝部１７ｃからなっている。前述の第１の溝部１７ａ、第２の溝部１７ｂおよび第３の溝部１７ｃは、一体的に断面形状がコの字状の溝形状となっている。この端子台１７を平面視した場合には、形状がクランク形状をなしている。
【００１７】
また、端子台１７の第１の溝部１７ａの内部には、第２の溝部１７ｂと第３の溝部１７ｃにそれぞれ配置されたリード線の端子１７ｄを電気的に接続する接続手段１６が取り付けられている。この接続手段１６は、導電性を有する金属の板金で構成され、ネジ１７ｅによって端子台１７に固定されている。なお、リード線の端子１７ｄは、接続手段１６に対してネジ１７ｆにより固定されている。
このように構成された端子台１７は、接続手段１６が設けられた第１の溝部１７ａの長手方向がコイルベース６１の中心を向くように配置されていると共に、隣り合うフェライト６３の間に端子台１７の一部が入り込むように、コイルベース６１にネジ１７ｇにより固定されている（図６参照）。
なお、端子台１７をコイルベース６１に固定するために用いるネジ１７ｇは、接続手段１６を端子台１７に固定するためのネジ１７ｅと共通化を行ってもよい。例えば、接続手段１６と端子台１７をコイルベース６１に１つのネジで共締めにする。これにより、部品点数の低減と、製造過程における工数の低減（ネジ締め工程の低減）を図ることができる。
前述した端子台１７の構成は、接続手段１６が取り付けられた端子台１７について述べたが、接続手段１４、１５が取り付けられた他の２個の端子台１７も同じ構成となっている。
【００１８】
加熱コイル６６ａは、一端が外部リード線９と接続され、他端がリード線９１と接続されている。そのリード線９１は、加熱コイル６６ｂの下に配置された接続手段１５と接続されている。加熱コイル６６ａと対向配置された加熱コイル６６ｃは、一端がリード線９２と接続され、他端がリード線９３と接続されている。また、そのリード線９２は、前述の接続手段１５と接続され、もう一方のリード線９３は、本コイル６６ｃの下に配置された接続手段１６と接続されている。
【００１９】
また、加熱コイル６６ｄは、一端が外部リード線１０と接続され、他端がリード線１０１と接続されている。そのリード線１０１は、加熱コイル６６ａの下に配置された接続手段１４と接続されている。加熱コイル６６ｄと対向配置された加熱コイル６６ｂは、一端がリード線１０２と接続され、他端がリード線１０３と接続されている。また、そのリード線１０２は、前述の接続手段１４と接続され、もう一方のリード線１０３は、前述の接続手段１６と接続されている。その接続手段１６には、コモン線１１が接続されている。
【００２０】
各加熱コイル６６ａ、６６ｂ、６６ｃ、６６ｄの渡り配線として使用された６本のリード線９１、９２、９３、１０１、１０２、１０３は、同じ長さで、コイルベース６１の内側に配線されている。
【００２１】
本実施の形態においては、加熱コイル６４、６５を１個のコイルとして１回路が構成され、２個の加熱コイル６６ａ、６６ｃで１回路が構成され、２個の加熱コイル６６ｂ、６６ｄで１回路が構成され、全部で３回路となっている。５個の加熱コイルに対して外部リード線９、１０、１２、１３の本数が４本で、コモン線１１を含め５本となっている。そのコモン線１１は、加熱コイル６６ａ、６６ｃの回路と加熱コイル６６ｂ、６６ｄの回路のコモン線である。これら３つの回路は、鍋の大きさや調理に応じて切り替えられている。
【００２２】
以上のように本実施の形態によれば、以下に示す効果が得られている。
（１）対向配置された加熱コイル６６ａ、６６ｃと加熱コイル６６ｂ、６６ｄの各リード線９１、９２、９３、１０１、１０２、１０３を、コイルベース６１の内側に配置されたクランク形状の端子台１７を用いて互いに接続するようにしている。これにより、コイルベース６１の外部から出る外部リード線９、１０の本数が少なくなり、そのため、加熱コイル６４、６５の外部リード線１２、１３とコモン線１１の本数も含め５本と少なくなっている。
【００２３】
（２）端子台１７がクランク形状であるため、各リード線９１、９２、９３、１０１、１０２、１０３を交差させることなくコイルベース６１の内側に周方向に沿わせて配線することが可能になっている。特に、端子台１７は、接続手段１４、１５、１６が設けられた第１の溝部１７ａの長手方向がコイルベース６１の中心を向くように配置されているので、コイルベース６１の直径方向のスペースを有効に利用して、端子台１７を配置することができる。
また、端子台１７は、コイルベース６１の厚み方向から極力はみ出ないように、隣り合うフェライト６３の間に一部が入り込むように設けているので、コイルベース６１の厚みを抑えることができる。
【００２４】
（３）コイルベース６１の内側に周方向に沿わせて配線することで、基板と接続される外部リード線９、１０、１２、１３（コモン線１１を含む）以外のリード線がはみ出ない構造となっている。そのため、コイルユニット６の周囲のスペースを確保でき、他機種の加熱調理器への流用がし易くなった。
【００２５】
（４）コイルベース６１から外部リード線９、１０、１２、１３（コモン線１１を含む）だけが露出する構造となっているので、次の工程でのリード線の接続が容易となり、組み立て作業におけるミスを低減できる。
【００２６】
（５）コイルベース６１の内側の配線により、コイルユニット６の下面に送風される冷却風を遮るということがなくなっている。
【００２７】
（６）各リード線９１、９２、９３、１０１、１０２、１０３の長さを同一としているので、リード線の製造が容易で管理しやすくなり、また、配線作業が容易となる。
【符号の説明】
【００２８】
１  加熱調理器本体、２  トッププレート、３  カバー、４  操作部、５  グリル扉、６  コイルユニット、６１  コイルベース、６２  中央支持体、６２ａ  梁部、６２ｂ  コイルベースの側板、６３  フェライト、６４、６５、６６  加熱コイル、６７  コイルベースの支持体、７  コイルユニット、８  ヒーターユニット、９  外部リード線、９１、９２、９３  リード線、１０  外部リード線、１０１、１０２、１０３  リード線、１１  コモン線、１２、１３  外部リード線、１４、１５、１６  接続手段、１７  端子台、１７ａ  第１の溝部、１７ｂ  第２の溝部、１７ｃ  第３の溝部、１７ｄ  リード線の端子、１７ｅ、１７ｆ、１７ｇ、  ネジ。
【図１】
2012117679.tif 000003
【図２】
2012117679.tif 000004
【図３】
2012117679.tif 000005
【図４】
2012117679.tif 000006
【図５】
2012117679.tif 000007
【図６】
2012117679.tif 000008
【国際調査報告】
2012117679.tif 000009
2012117679.tif 000010
2012117679.tif 000011
2012117679.tif 000012